(57)【特許請求の範囲】
【請求項１】
屋上、バルコニー、ベランダ等の構造物の床部又は該床部に立設される壁部の下端部に埋設されたドレイン本体と、該ドレイン本体の排水口に接続する排水管とを具備するドレインの再生方法であって、
上記床部の床下地に敷設された下地防水層の上記ドレイン本体側の端部に一端が連通し、他端が上記ドレイン本体に接続する上記排水管内に連通する可撓性を有する排水誘導部材を配置する工程と、
両端が閉塞され、基端側にエアー供給口を有する膨張及び収縮可能なバルーンに取り付けられた耐水性及び伸縮性を有する筒状の樹脂吸収材に、該樹脂吸収材の一端部を残して樹脂塗料を含浸させる工程と、
上記樹脂吸収材の上記樹脂塗料が含浸されない上記一端部を上記排水誘導部材を含む上記ドレイン本体の開口側に展着する工程と、
上記バルーン内に圧縮エアーを供給して、上記バルーンの膨張によって上記樹脂吸収材を上記排水誘導部材の排水口側を残して上記排水管の内壁及び上記ドレイン本体の排水口と上記排水管の接続部内に付着させる工程と、
上記樹脂吸収材の硬化後、上記バルーンを収縮して回収する工程と、
上記ドレイン本体の開口側に展着された上記樹脂吸収材に樹脂塗料を含浸させて、上記ドレイン本体の内面に上記樹脂塗料を塗布する工程と、
を備えることを特徴とするドレインの再生方法。
【請求項２】
請求項１に記載のドレインの再生方法において、
上記樹脂吸収材に上記樹脂塗料を含浸させる工程は、上記バルーンの先端部を該バルーンの内方へ反転させ、反転部内に上記樹脂吸収材を挿入すると共に、上記樹脂吸収材の一端部を上記バルーンの外周部に折り返した状態で、上記バルーンの反転部内に挿入された上記樹脂吸収材に樹脂塗料を含浸させる、ことを特徴とするドレインの再生方法。
【請求項３】
請求項１に記載のドレインの再生方法において、
上記樹脂吸収材に上記樹脂塗料を含浸させる工程は、上記バルーンの外周に上記樹脂吸収材を被着し、上記樹脂吸収材の一端部を残して上記樹脂塗料を含浸させる、ことを特徴とするドレインの再生方法。
【請求項４】
請求項１に記載のドレインの再生方法において、
上記排水誘導部材を配置する工程は、上記排水誘導部材を上記ドレイン本体の開口部の表面及び該表面に連なる筒部内面と上記排水管の内壁面に沿わせて配置する、ことを特徴とするドレインの再生方法。
【請求項５】
屋上、バルコニー、ベランダ等の構造物の床部又は該床部に立設される壁部の下端部に埋設されたドレイン本体と、該ドレイン本体の排水口に接続する排水管とを具備するドレイン構造であって、
上記床部の床下地に敷設された下地防水層の上記ドレイン本体側の端部に一端が連通し、他端が上記ドレイン本体に接続する上記排水管内に連通する可撓性を有する排水誘導部材と、
上記排水誘導部材を含む上記ドレイン本体の開口部内、上記排水誘導部材の排水口側を残した上記排水管の内壁及び上記ドレイン本体の上記排水口と上記排水管の接続部内に被着される樹脂塗料が含浸された樹脂吸収材と、を具備し、
上記下地防水層上に漏洩した雨水を、上記排水誘導部材を介して上記排水管に排水可能に形成してなる、
ことを特徴とするドレイン構造。
【請求項６】
請求項５に記載のドレイン構造において、
上記ドレイン本体の開口部に被着された上記樹脂吸収材が上記ドレイン本体の上記開口部に隣接する上記床部表面に延在して被着されている、ことを特徴とするドレイン構造。
【請求項７】
請求項５に記載のドレイン構造において、
上記排水誘導部材は、可撓性を有する扁平状のチューブと、上記チューブ内に挿入される可撓性を有する帯状の排水誘導体とからなり、上記排水誘導体は、少なくとも一側面に上記チューブの内面との間に排水路を形成すべく凸部が設けられている、ことを特徴とするドレイン構造。
【請求項８】
請求項７に記載のドレイン構造において、
上記凸部は、上記排水誘導体の少なくとも長手方向に適宜間隔をおいて複数設けられている、ことを特徴とするドレイン構造。
【発明の詳細な説明】
【技術分野】
【０００１】
この発明は、ドレインの再生方法及びドレイン構造に関するものである。
【背景技術】
【０００２】
一般に、屋上、バルコニー、ベランダ等の構造物の床部は、スラブコンクリートからなる床下地の上面に下地防水層（以下に、下地防水シートという）が敷設され、下地防水シートの上面に押さえコンクリートが敷設されている。押さえコンクリートの表面には防水塗料を塗布するか防水シートを敷設するなどして防水処理が施されている。
また、上記床部又は床部に立設される壁部の下端部には、ドレインが設けられている。
【０００３】
上記のように構成される構造物の床部においては、長期に亘って気象変化や風雨に晒されて経年劣化が生じるため、床部は構造物への雨水の浸入防止の確保、ドレインは排水性の確保を行う必要がある。そのため、床部には新規防水シートを敷設して改修すると共に、ドレインを再生、改修等を行っている。
【０００４】
床部に新規防水シートを敷設することにより、防水処理が施されるが、改修前に床部の押さえコンクリートを浸入して下地防水シート上に漏洩した雨水が蒸発すると、新規防水シートが変形して波打つ虞がある。
【０００５】
従来、上記構造物の床部に固定されて排水管に接続されるドレインに、床部の床下地の上面に敷設された断熱材の表面に敷設された既存防水シートと新規防水シートとの間に漏洩した雨水の排水機能をを持たせたドレイン構造が知られている（例えば、特許文献１参照）。
【０００６】
特許文献１に記載のドレイン構造は、排水管に接続される第１ドレイン部材と、該第１ドレイン部材の内側に挿入される第２ドレイン部材とを備えている。第１ドレイン部材は、構造物の床部の上面に敷設された断熱材を介して構造物に固定されており、第２ドレイン部材の筒部が、第１ドレイン部材の筒部の内側に接触しない状態で挿入され、第１ドレイン部材と第２ドレイン部材の排出口側端部との間には排水路となる空間が設けられている。この排水路によって断熱材の表面に敷設された保護シート（既存防水シート）と新規防水シートとの間に漏洩した雨水の排水管への排水を確保している。また、防水シートの保全や補修時には、第２ドレイン部材を第１のドレイン部材から抜き出して新規の第２ドレイン部材と交換される。
【先行技術文献】
【特許文献】
【０００７】
【特許文献１】特開２０１１−５８１６９号公報
【発明の概要】
【発明が解決しようとする課題】
【０００８】
しかしながら、特許文献１に記載のものにおいては、第１ドレイン部材の内側に第２ドレイン部材を挿入する構造であるため、ドレインの開口が狭くなり、排水性が低下する懸念がある。また、特許文献１に記載のものにおいては、床部に埋設された第１ドレイン部材と、第１ドレイン部材の排水口に接続する縦引きタイプに比べて、床部に立設された壁の下端部に埋設されたドレイン部材と、該ドレイン部材の排水口に接続する横向きの排水管とからなる横引きタイプのドレインにおいては、更に排水性が低下する懸念がある。
【０００９】
また、特許文献１に記載のものにおいては、床部に固定される第１ドレイン部材は床部の下地材の上面に敷設された断熱材を介して構造物に固定されているため、改修前に断熱材の上面に敷設された保護シート（既存防水シート）から断熱材に浸入して床下地上に漏洩した雨水を排水することができない虞がある。
【００１０】
また、特許文献１に記載のものにおいては、ドレインの保全や補修を行う場合、第２ドレイン部材を第１ドレイン部材から抜き出して交換するため、ドレインの形状すなわち縦引きタイプ又は横引きタイプに合わせた新規の第２ドレイン部材を用意する必要がある上、交換作業に手間を要する懸念がある。
【００１１】
この発明は、上記事情に鑑みてなされたもので、縦引きタイプと横引きタイプのドレインのいずれにおいても排水能力の低下を抑制することができると共に、構造物の床部に漏洩する雨水の排水を確保できるドレインの再生方法及びドレイン構造を提供するものである。
【課題を解決するための手段】
【００１２】
上記課題を達成するために、この発明のドレインの再生方法は、屋上、バルコニー、ベランダ等の構造物の床部又は該床部に立設される壁部の下端部に埋設されたドレイン本体と、該ドレイン本体の排水口に接続する排水管とを具備するドレインの再生方法であって、    上記床部の床下地に敷設された下地防水層の上記ドレイン本体側の端部に一端が連通し、他端が上記ドレイン本体に接続する上記排水管内に連通する可撓性を有する排水誘導部材を配置する工程と、  両端が閉塞され、基端側にエアー供給口を有する膨張及び収縮可能なバルーンに取り付けられた耐水性及び伸縮性を有する筒状の樹脂吸収材に、該樹脂吸収材の一端部を残して樹脂塗料を含浸させる工程と、  上記樹脂吸収材の上記樹脂塗料が含浸されない上記一端部を上記排水誘導部材を含む上記ドレイン本体の開口側に展着する工程と、  上記バルーン内に圧縮エアーを供給して、上記バルーンの膨張によって上記樹脂吸収材を上記排水誘導部材の排水口側を残して上記排水管の内壁及び上記ドレイン本体の排水口と上記排水管の接続部内に付着させる工程と、  上記樹脂吸収材の硬化後、上記バルーンを収縮して回収する工程と、  上記ドレイン本体の開口側に展着された上記樹脂吸収材に樹脂塗料を含浸させて、上記ドレイン本体の内面に上記樹脂塗料を塗布する工程と、を備えることを特徴とする（請求項１）。
【００１３】
このように構成することにより、構造物の床部の床下地に敷設された下地防水層のドレイン本体側の端部に一端が連通し、他端がドレイン本体に接続する排水管内に連通する可撓性を有する排水誘導部材を配置した後、樹脂塗料が含浸されない一端部を排水誘導部材を含むドレイン本体の開口側に展着した状態で、バルーン内に圧縮エアーを供給して、バルーンの膨張によって樹脂吸収材を排水誘導部材の排水口側を残して排水管の内壁及びドレイン本体の排水口と排水管の接続部内に付着させ、樹脂吸収材の硬化後、バルーンを収縮して回収し、バルーンの回収後、ドレイン本体の開口側に展着された樹脂吸収材に樹脂塗料を含浸させて、ドレイン本体の内面に樹脂塗料を塗布して、ドレインに一体化された排水誘導部材によって構造物の床部に漏洩する雨水の排水を確保したドレインを再生することができる。
【００１４】
請求項１に記載のドレインの再生方法において、樹脂吸収材に樹脂塗料を含浸させる工程は、バルーンの先端部を該バルーンの内方へ反転させ、反転部内に樹脂吸収材を挿入すると共に、樹脂吸収材の一端部をバルーンの外周部に折り返した状態で、バルーンの反転部内に挿入された樹脂吸収材に樹脂塗料を含浸させて行うことができる（請求項２）。
また、樹脂吸収材に樹脂塗料を含浸させる工程を、上記バルーンの外周に上記樹脂吸収材を被着し、上記樹脂吸収材の一端部を残して上記樹脂塗料を含浸させて行うようにしてもよい（請求項３）。
【００１５】
また、請求項１に記載のドレインの再生方法において、排水誘導部材を配置する工程は、排水誘導部材をドレイン本体の開口部の表面及び該表面に連なる筒部内面と排水管の内壁面に沿わせて配置するのが好ましい（請求項４）。
【００１６】
この発明のドレイン構造は、屋上、バルコニー、ベランダ等の構造物の床部又は該床部に立設される壁部の下端部に埋設されたドレイン本体と、該ドレイン本体の排水口に接続する排水管とを具備するドレイン構造であって、  上記床部の床下地に敷設された下地防水層の上記ドレイン本体側の端部に一端が連通し、他端が上記ドレイン本体に接続する上記排水管内に連通する可撓性を有する排水誘導部材と、  上記排水誘導部材を含む上記ドレイン本体の開口部内、上記排水誘導部材の排水口側を残した上記排水管の内壁及び上記ドレイン本体の上記排水口と上記排水管の接続部内に被着される樹脂塗料が含浸された樹脂吸収材と、を具備し、  上記下地防水層上に漏洩した雨水を、上記排水誘導部材を介して上記排水管に排水可能に形成してなる、ことを特徴とする（請求項５）。
【００１７】
このように構成することにより、排水口側を除いた排水誘導部材を含めてドレイン本体の開口部内、排水管の内壁及びドレイン本体の排水口と排水管の接続部内に樹脂塗料が含浸された樹脂吸収材が被着されるので、排水誘導部材はドレインに密着された状態で一体化し、ドレインの排水性の低下するのを抑制することができると共に、構造物の床部に漏洩する雨水を排水誘導部材によって排水管への排水することができる。
【００１８】
請求項５に記載のドレイン構造において、上記ドレイン本体の開口部に被着された上記樹脂吸収材が上記ドレイン本体の上記開口部に隣接する上記床部表面に延在して被着されているのが好ましい（請求項６）。
【００１９】
このように構成することにより、ドレイン本体の開口部と床部との間に雨水が浸入するのを防止することができる。
【００２０】
また、請求項５に記載のドレイン構造において、上記排水誘導部材は、可撓性を有する扁平状のチューブと、上記チューブ内に挿入される可撓性を有する帯状の排水誘導体とからなり、上記排水誘導体は、少なくとも一側面に上記チューブの内面との間に排水路を形成すべく凸部が設けられているのが好ましい（請求項７）。この場合、上記凸部は、上記排水誘導体の少なくとも長手方向に適宜間隔をおいて複数設けられているのが好ましい（請求項８）。
【００２１】
このように構成することにより、排水誘導体に設けられた凸部によって、外部からの圧力でチューブが潰れるのを防止することができると共に、床部に漏洩した雨水の排水を確保することができる。
【発明の効果】
【００２２】
この発明によれば、上記のように構成されているので、以下のような効果が得られる。
縦引きタイプと横引きタイプのドレインのいずれにおいても排水能力の低下を抑制することができると共に、構造物の床部に漏洩する雨水の排水管への排水を確保できる。
【図面の簡単な説明】
【００２３】
【図１】この発明の第１実施形態のドレイン構造を示す断面図である。
【図２】図１のＩ−Ｉ線に沿う断面図である。
【図３】この発明における排水誘導部材の一部を断面で示す平面図（ａ）及び（ａ）のII−II線に沿う拡大断面図（ｂ）である。
【図４】この発明におけるバルーン、コンプレッサ及び圧力計を示す概略側面図である。
【図５】この発明における樹脂吸収材を示す斜視図である。
【図６】この発明に係るドレインの再生方法の作業手順を示すフローチャートである。
【図７】上記バルーンの反転状態を示す概略側面図である。
【図８】上記バルーンの反転部内に樹脂吸収材を挿入する状態を示す概略側面図（ａ）及び樹脂吸収材の挿入後の状態を示す概略側面図（ｂ）である。
【図９】上記樹脂吸収材に樹脂塗料を注入する状態を示す概略側面図（ａ）、樹脂吸収材に樹脂塗料を含浸させる状態を示す概略平面図（ｂ）及び樹脂吸収材に樹脂塗料を含浸させた状態を示す拡大断面図（ｃ）である。
【図９Ａ】上記バルーンを反転させずに上記樹脂吸収材に樹脂塗料を含浸させる状態の一例を示す概略平面図である。
【図１０】上記排水誘導部材を第１実施形態におけるドレインの排水管側に配置した状態を示す断面図である。
【図１１】上記バルーンを第１実施形態におけるドレインの排水管の開口端に近接して設置する状態を示す断面図である。
【図１１Ａ】上記バルーンを絞った状態で上記ドレインの排水管の開口端から挿入して設置する状態を示す断面図である。
【図１２】上記第１実施形態における排水管の内壁及びドレイン本体と排水管の接続部内に樹脂吸収材を付着させる状態を示す断面図である。
【図１２Ａ】上記第１実施形態における排水管の内壁及びドレイン本体と排水管の接続部内に樹脂吸収材を付着させる別の状態を示す断面図である。
【図１３】第１実施形態におけるバルーンの回収状態を示す断面図である。
【図１４】第１実施形態におけるドレイン本体内に樹脂塗料を塗布した状態を示す断面図である。
【図１５】上記排水誘導部材を第２実施形態におけるドレインの排水管側に配置した状態を示す断面図である。
【図１６】上記バルーンを第２実施形態におけるドレインの排水管の開口端に近接して設置する状態を示す断面図である。
【図１７】上記第２実施形態における排水管の内壁及びドレイン本体と排水管の接続部内に樹脂吸収材を付着させる状態を示す断面図である。
【図１８】第２実施形態におけるバルーンの回収状態を示す断面図である。
【図１９】この発明の第２実施形態のドレイン構造を示す断面図である。
【発明を実施するための形態】
【００２４】
以下に、この発明の実施形態について、添付図面に基づいて詳細に説明する。ここでは、この発明に係るドレインの再生方法とドレイン構造を、後述する建物の屋上、バルコニーやベランダ等の構造物の床部１に埋設されたドレイン本体４と、該ドレイン本体４の鍔部に連なる筒状の排水口５に接続する排水管６とからなる縦引きタイプのドレイン３（第１実施形態）と、床部１に立設された壁部２の下端部に埋設されたドレイン本体４Ａと、該ドレイン本体４Ａの略Ｌ字状の鍔部に連なる筒状の排水口５Ａに接続する横向きの排水管６Ａとからなる横引きタイプのドレイン３Ａ（第２実施形態）に適用した場合について説明する。なお、床部１は、床下地１ａの上面に下地防水層１ｂ（以下に、下地防水シート１ｂという）が敷設され、下地防水シート１ｂの上面に押さえコンクリート１ｃが敷設されている。また、保全や補修時には押さえコンクリート１ｃの上面に新規防水シート１ｄが敷設される。
【００２５】
縦引きタイプのドレイン３（第１実施形態）は、図１及び図２に示すように、屋上、バルコニー、ベランダ等の構造物の床部１の床下地１ａに敷設された下地防水シート１ｂのドレイン本体４側の端部に一端が連通し、他端がドレイン本体４の排水口５に接続する排水管６内に連通する可撓性を有する排水誘導部材６０と、排水誘導部材６０を含むドレイン本体４の開口部内、排水誘導部材６０の排水口５側を残した排水管６の内壁及びドレイン本体４の排水口５と排水管６の接続部内に被着される樹脂塗料１２が含浸された樹脂吸収材１１と、を具備する。なお、樹脂吸収材１１は排水誘導部材６０の上面に被着され、その上面に新規防水シート１ｄが被着されている。
【００２６】
この場合、上記排水誘導部材６０は、図３に示すように、例えば、ポリウレタン，ポリエチレン，塩化ビニール等の合成樹脂製部材にて形成される、可撓性を有する扁平状のチューブ６１（以下に扁平チューブ６１という）と、扁平チューブ６１内に挿入される可撓性を有する帯状の排水誘導体６２とで構成されており、排水誘導体６２は、一側面に扁平チューブ６１の内面との間に排水路６３を形成すべく複数の凸部６２ａが設けられている。この場合、凸部６２ａは排水誘導体６２の少なくとも長手方向に適宜間隔をおいて複数設けられている。なお、排水誘導部材６０の幅は約２０〜２５mmに形成されている。排水誘導部材６０の幅を約２０〜２５mmに形成することにより、ドレイン本体４の鍔部に排水用の溝（図示せず）が設けられている場合には、この溝を利用して排水誘導部材６０を配置することができる。
【００２７】
なお、ここでは、凸部６２ａは平面円形に形成されているが、凸部６２ａの形状はこれに限定されるものではなく、隣接する凸部６２ａ間に排水路６３が形成されていれば任意の形状であってもよい。また、凸部６２ａは排水誘導体６２の少なくとも一側面に設けられていればよく、排水誘導体６２の両面に設けられていてもよい。
【００２８】
このように構成することにより、排水誘導体６２に設けられた凸部６２ａによって、外部からの圧力で扁平チューブ６１が潰れるのを防止することができると共に、床部１に漏洩した雨水の排水を確保することができる。
【００２９】
上記樹脂吸収材１１は、アラミド繊維を表と裏を同時に編んだ（ダブルニットと称する）筒状の編物にて形成されている（図５参照）。アラミド繊維は、耐水性，強度，耐熱性に優れた材料であり、編物により、伸縮性をもたせることができると共に、例えば、エポキシ樹脂塗料からなる硬化性樹脂塗料（以下に樹脂塗料という）の含浸をし易くすることができる。
【００３０】
次に、上記縦引きドレインの再生方法について説明する。ドレインの再生に当たって、以下の再生装置が使用される。
再生装置は、両端が閉塞され、基端側に圧縮エアー供給源であるコンプレッサ４０に接続するエアー供給口１３と、圧力計５０が接続可能な接続口１４を有する膨張及び収縮可能な透明のバルーン１０と、バルーン１０の先端部を該バルーン１０の内方へ反転させる反転押圧部３２と、樹脂吸収材１１を筒状に拡径しつつバルーン１０の反転押圧部３２内に挿入する円筒開口部３３を有する操作棒３０と、バルーン１０の外周を覆う分割又は周方向に開閉可能なサポート体２０と、を具備する。
【００３１】
上記バルーン１０は、例えば、ポリウレタン，ポリエチレン，塩化ビニール製の膨張及び収縮可能な透明部材にて形成されており、図４に示すように、先端部が凸円弧状に形成され、基端部にエアー供給口１３と接続口１４が設けられている。
なお、エアー供給口１３にはエアーホース４１を介してコンプレッサ４０が接続され、接続口１４に接続される接続ホース５１に、バルーン１０内の圧力を検出する圧力計５０が設けられている。
このバルーン１０は、エアーが供給された状態では、先端部が半球状に膨隆し、基端部が閉塞された円筒中空状に形成される。
【００３２】
上記操作棒３０は、図７及び図８に示すように、例えば塩化ビニール製のパイプからなる棒本体３１の一端に略半球状の頭部３２ａを有する反転押圧部３２を設け、他端に円筒開口部３３が設けられている。
このように形成される操作棒３０は、図７に示すように、反転押圧部３２によってバルーン１０の先端部を該バルーン１０の内方へ反転させることができ、図８（ａ）に示すように、円筒開口部３３によって樹脂吸収材１１を筒状に拡径しつつバルーン１０の反転押圧部３２内に挿入することができる。
【００３３】
次に、ドレインの再生方法について、図６に示す作業手順（工程）のフローチャートと、図７ないし図１９を参照して説明する。
【００３４】
［縦引きタイプのドレインの再生］
縦引きタイプのドレイン３の再生は、図１０ないし図１４に示すように、以下の手順によって行う。
【００３５】
＜排水誘導部材の配置＞
排水誘導部材６０の一端を床部１の床下地１ａに敷設された下地防水シート１ｂのドレイン本体４側の端部に連通し、他端をドレイン本体４の排水口５に接続する排水管６内に連通する状態に配置する（ステップＳ−１；図１０参照）。この場合、排水誘導部材６０は、エポキシパテで仮止めされてドレイン本体４の開口部の表面及び該表面に連なる筒部内面と排水管６の内壁面に沿わせて配置される。
【００３６】
＜樹脂吸収材に樹脂塗料を含浸＞
バルーン１０の先端部を操作棒３０の反転押圧部３２でバルーン１０の内方に押し込んで反転させ（図７参照）、樹脂吸収材１１に操作棒３０の円筒開口部３３を挿入して、バルーン１０の反転部１０ａ内に樹脂吸収材１１を筒状に拡径しつつ挿入し、樹脂吸収材１１の外方側端部をバルーン１０の外周部に折り返す（図８（ａ），（ｂ）参照）。バルーン１０の反転部１０ａ内に挿入された樹脂吸収材１１に漏斗８を用いて樹脂塗料１２を注入した後、バルーン１０の外面にローラ９を押圧して樹脂塗料１２を樹脂吸収材１１に均等に含浸させる（ステップＳ−２；図９参照）。この場合、バルーン１０は透明性部材にて形成されているので、樹脂塗料１２の含浸状体を外部から確認することができる。
【００３７】
反転部１０ａの樹脂吸収材１１に樹脂塗料が含浸された状態において、バルーン１０の外周部に折り返された樹脂吸収材１１には樹脂塗料１２は含浸されない。
【００３８】
なお、樹脂吸収材１１に樹脂塗料１２が含浸された際に、サポート体２０でバルーン１０の外周を覆って固定バンド（図示せず）で固定する。
【００３９】
樹脂吸収材１１を反転させずに樹脂塗料１２を含浸させる場合は、バルーン１０の外周面に樹脂吸収材１１を被着させ、樹脂吸収材１１の一端側の樹脂塗料１２を含浸させない領域（非含浸領域Ａ）に例えばマスキングテープ１５を貼着した状態で、バルーン１０に被着された樹脂吸収材１１に樹脂塗料１２を浸した状態でローラ９Ａによって樹脂吸収材１１に樹脂塗料を含浸させる（図９Ａ参照）。この際、樹脂吸収材１１の一端側の非含浸領域Ａにはマスキングテープ１５が貼着されているので、樹脂塗料１２は含浸されず、その他の含浸領域Ｂにのみ樹脂塗料１２が均等に含浸される。なお、樹脂塗料１２が含浸された後、マスキングテープ１５を剥がす。
【００４０】
＜バルーンのドレイン内への設置＞
バルーン先端側及びサポート体２０の端部をドレイン３の排水管６の開口端に近接した状態に設置し、バルーン１０の外周部に折り返された樹脂塗料１２が含浸されていない樹脂吸収材１１を、排水誘導部材６０を被覆した状態でドレイン本体４の開口側に展着する（ステップＳ−３；図１１参照）。
【００４１】
樹脂吸収材１１を反転させない場合は、樹脂吸収材１１を被着したバルーン１０を絞った状態にしてドレイン本体４の開口部から排水管６内に挿入し、樹脂塗料１２が含浸されていない樹脂吸収材１１を、排水誘導部材６０を被覆した状態でドレイン本体４の開口側に展着する（図１１Ａ参照）。
【００４２】
＜排水管内壁及び接続部の再生＞
バルーン１０内へ圧縮エアーを供給し、バルーン１０の膨張によって樹脂吸収材１１を排水誘導部材６０の排水口側を残して排水管６の内壁及び排水口５と排水管６の段状の接続部７内に付着する（ステップＳ−４；図１２，図１２Ａ参照）。この場合、圧力計５０によってバルーン１０内の圧力を確認しながら圧縮エアーを供給する。
バルーン１０内に圧縮エアーを供給している際は、サポート体２０によってバルーン１０の圧力変形を抑制することができると共に、作業者のバルーン１０の保持を容易にすることができる。
【００４３】
＜バルーンの回収＞
樹脂吸収材１１の硬化後、バルーン１０内のエアーを抜いてバルーン１０を収縮すると共に、固定バンド（図示せず）の締結を解いてサポートを分離してバルーン１０を回収する（ステップＳ−５；図１３参照）。
【００４４】
＜ドレイン本体の再生＞
ドレイン本体４の開口側に展着された樹脂吸収材１１に樹脂塗料１２を含浸させて、ドレイン本体４の内面に樹脂塗料１２を塗布してドレイン本体４の内面を仕上げる（ステップＳ−６；図１４参照）。ドレイン本体４の内面を仕上げた後、押さえコンクリート１ｃの上面に敷設される新規防水シート１ｄを樹脂吸収材１１の上面に被着する。
【００４５】
次に、横引きタイプのドレイン３Ａ（第２実施形態）について説明する。
横引きタイプのドレイン３Ａは、図１９に示すように、屋上、バルコニー、ベランダ等の構造物の床部１に立設された壁部２の下端部に埋設されたドレイン本体４Ａの下端に設けられた横向きの排水口５Ａに排水管６Ａを横向きに接続してなり、排水管６Ａの排水口側にはエルボ管６Ｂを介して排水本管６Ｃが接続されている。
【００４６】
横引きタイプのドレイン３Ａは、床部１の床下地１ａに敷設された下地防水シート１ｂのドレイン本体４Ａ側の端部に一端が連通し、他端がドレイン本体４Ａの排水口５に接続する排水管６Ａ及び排水本管６Ｃ内に連通する可撓性を有する排水誘導部材６０と、排水誘導部材６０を含むドレイン本体４Ａの開口部内、排水誘導部材６０の排水口５側を残した排水管６Ａの内壁及びドレイン本体４Ａの排水口５と排水管６Ａの接続部内に被着される樹脂塗料が含浸された樹脂吸収材１１と、を具備する。なお、樹脂吸収材１１は排水誘導部材６０の上面を被着し、その上面に新規防水シート１ｄが被着されている。壁部２には、壁部２の表面に下地防水シート１ｅが設けられ、下地防水シート１ｅの表面に新規防水シート１ｆが設けられている。
【００４７】
［横引きタイプのドレインの再生］
横引きタイプのドレイン３Ａを再生する場合は、図１５ないし図１９に示すように、施工現場において、以下の手順によって行う。
【００４８】
＜排水誘導部材の配置＞
排水誘導部材６０の一端を床部１の床下地１ａに敷設された下地防水シート１ｂのドレイン本体４Ａ側の端部に連通し、他端をドレイン本体４Ａの排水口５に接続する排水管６Ａ及び排水本管６Ｃ内に連通する状態に配置する（ステップＳ−１；図１５参照）。この場合、排水誘導部材６０は、エポキシパテで仮止めされてドレイン本体４Ａの開口部の表面及び該表面に連なる筒部内面と排水管６Ａの内壁面に沿わせて配置される。
【００４９】
横引きタイプのドレイン３Ａにおいても、樹脂吸収材に樹脂塗料を含浸（ステップＳ−２）は、縦引きタイプのドレインと同様であるので、説明は省略する。
【００５０】
＜バルーンのドレインへの設置＞
バルーン先端側及びサポート体２０の端部をドレイン３Ａの排水管６Ａの開口端に近接した状態に設置し、バルーン１０の外周部に折り返された樹脂塗料１２が含浸されていない樹脂吸収材１１をドレイン本体４Ａの開口側に展着する（ステップＳ−３；図１６参照）。この場合、バルーン１０は膨張及び収縮可能であって可撓性を有するので、屈曲させて排水管６Ａの開口端に近接した状態に設置することができる。
【００５１】
＜排水管内壁及び接続部の再生＞
バルーン１０内へ圧縮エアーを供給し、バルーン１０の膨張によって樹脂吸収材１１を排水管６Ａの内壁及び排水口５Ａと排水管６Ａの段状の接続部７内に付着する（ステップＳ−４；図１７参照）。この場合、圧力計５０によってバルーン１０内の圧力を確認しながら圧縮エアーを供給する。
バルーン１０内に圧縮エアーを供給している際は、サポート体２０によってバルーン１０の圧力変形を抑制することができると共に、作業者のバルーン１０の保持を容易にすることができる。
【００５２】
＜バルーンの回収＞
樹脂吸収材１１の硬化後、バルーン１０内のエアーを抜いてバルーン１０を収縮すると共に、固定バンドの締結を解いてサポートを分離してバルーン１０を回収する（ステップＳ−５；図１８参照）。
【００５３】
＜ドレイン本体の再生＞
ドレイン本体４Ａの開口側に展着された樹脂吸収材１１に樹脂塗料１２を含浸させて、ドレイン本体４Ａの内面に樹脂塗料１２を塗布してドレイン本体４Ａの内面を仕上げる（ステップＳ−６；図１９参照）。ドレイン本体４の内面を仕上げた後、押さえコンクリート１ｃの上面に敷設される新規防水シート１ｄを樹脂吸収材１１の上面に被着する。
【００５４】
なお、上記実施形態では、バルーン１０の外周をサポート体２０で覆った状態でバルーン１０内に圧縮エアーを供給する場合について説明したが、バルーン１０への供給圧が低い場合は、サポート体２０を用いずに、直接バルーン１０を保持して作業してもよい。
【００５５】
上記実施形態のドレインの再生方法によれば、床部１の床下地１ａに敷設された下地防水シート１ｂのドレイン本体４，４Ａ側の端部に一端が連通し、他端がドレイン本体４に接続する排水管６，６Ａ内に連通する可撓性を有する排水誘導部材６０を配置した後、樹脂塗料１２が含浸されない一端部を排水誘導部材６０を含むドレイン本体４，４Ａの開口側に展着した状態で、バルーン１０内に圧縮エアーを供給して、バルーン１０の膨張によって樹脂吸収材１１を排水誘導部材６０の排水口側を残して排水管６，６Ａの内壁及びドレイン本体４，４Ａの排水口と排水管６，６Ａの接続部内に付着させ、樹脂吸収材１１の硬化後、バルーン１０を収縮して回収し、バルーンの回収後、ドレイン本体４，４Ａの開口側に展着された樹脂吸収材１１に樹脂塗料１２を含浸させて、ドレイン本体４，４Ａの内面に樹脂塗料１２を塗布して、ドレイン３，３Ａに一体化された排水誘導部材６０によって構造物の床部１に漏洩する雨水の排水を確保したドレインを再生することができる。
【００５６】
また、上記実施形態のドレイン構造によれば、排水口側を除いた排水誘導部材６０を含めてドレイン本体４，４Ａの開口部内、排水管６，６Ａの内壁及びドレイン本体４，４Ａの排水口と排水管６，６Ａの接続部内に樹脂塗料１２が含浸された樹脂吸収材１１が被着されるので、排水誘導部材６０はドレイン３，３Ａに密着された状態で一体化し、ドレイン３，３Ａの排水性の低下するのを抑制することができると共に、構造物の床部１に漏洩する雨水を排水誘導部材６０によって排水管への排水することができる。
【００５７】
なお、上記実施形態では、構造物の床部１又は該床部１に立設される壁部の下端部に設けられるドレイン３，３Ａの再生に適用する場合について説明したが、この発明はこれに限定されるものではなく、ドレイン以外のトラップと、トラップの排水口に接続する排水管を備える構造の排水設備にも適用できるものである。
【符号の説明】
【００５８】
１  床部
１ａ  床下地
１ｂ  下地防水シート（下地防水層）
１ｃ  押さえコンクリート
１ｄ  新規防水シート（新規防水層）
２  壁
３，３Ａ  ドレイン
４，４Ａ  ドレイン本体
５，５Ａ  排水口
６，６Ａ  排水管
７  接続部
１０  バルーン
１１  樹脂吸収材
１２  樹脂塗料
１３  エアー供給口
１４  接続口
４０  コンプレッサ（圧縮エアー供給源）
５０  圧力計
６０  排水誘導部材
６１  扁平チューブ
６２  排水誘導体
６２ａ  凸部
６３  排水路
【要約】
【課題】縦引きタイプと横引きタイプのドレインのいずれにおいても排水能力の低下を抑制すると共に、構造物の床部に漏洩する雨水の排水を確保すること。
【解決手段】床部１の床下地１ａに敷設された下地防水シート１ｂのドレイン本体４側の端部に一端が連通し、他端がドレイン本体４に接続する排水管６内に連通する可撓性を有する排水誘導部材６０を配置し、排水誘導部材６０を含むドレイン本体４の上記開口部内、排水誘導部材６０の排水口側を残した排水管６の内壁及びドレイン本体４の排水口５と排水管６の接続部内に樹脂塗料１２が含浸された樹脂吸収材１１を被着して排水誘導部材６０を一体化する。下地防水層上に漏洩した雨水は、排水誘導部材６０を介して排水管６に排水される。
【選択図】  図１【図１】
0006893670.tif 000002
【図２】
0006893670.tif 000003
【図３】
0006893670.tif 000004
【図４】
0006893670.tif 000005
【図５】
0006893670.tif 000006
【図６】
0006893670.tif 000007
【図７】
0006893670.tif 000008
【図８】
0006893670.tif 000009
【図９】
0006893670.tif 000010
【図９Ａ】
0006893670.tif 000011
【図１０】
0006893670.tif 000012
【図１１】
0006893670.tif 000013
【図１１Ａ】
0006893670.tif 000014
【図１２】
0006893670.tif 000015
【図１２Ａ】
0006893670.tif 000016
【図１３】
0006893670.tif 000017
【図１４】
0006893670.tif 000018
【図１５】
0006893670.tif 000019
【図１６】
0006893670.tif 000020
【図１７】
0006893670.tif 000021
【図１８】
0006893670.tif 000022
【図１９】
0006893670.tif 000023